(57)【要約】      （修正有）【課題】該配線係止装置に線材を保持する作業は簡便である必要があるが、樹脂材料により形成される配線係止装置の成型金型の構造面の事情により、線材を保持する面に線材の絶縁被覆を損傷する懸念のある「バリ不良」を発生する場合があり、安全確実に線材を保持する配線係止装置を提供する。【解決手段】配線係止装置を構成する線材挟持用ピン８の横断面形状を該線材挟持用ピン８の軸に沿って線対称の凹面に形成すると共に、複数の該線材挟持用ピン８の凹面部が対向するよう配設する。さらに該線材挟持用ピン８の成型金型を該線対象線に沿って分割する構造とし、該線材挟持用ピン８先端部に発生するショートショット不良や樹脂材料焼け不良の発生を防止する。【選択図】図４
2007115727.tif 000002
【特許請求の範囲】
【請求項１】
樹脂成型加工により形成された電子機器用キャビネットや内部の構造物と共に一体成型された配線係止装置において、該配線係止装置を構成する線材挟持用ピンの横断面形状を該線材挟持用ピンの軸に沿って線対称の凹面に形成したことを特徴とする配線係止装置。
【請求項２】
請求項1に記載の横断面形状を線材挟持用ピンの軸に沿って線対称の凹面に形成した該線材挟持用ピンの成型金型を該線対象線に沿って分割する割り子構造としたことを特徴とする配線係止装置。
【請求項３】
請求項1に記載の横断面形状を線材挟持用ピンの軸に沿って線対称の凹面に形成した複数の該線材挟持用ピンを凹面部が対向するよう配設したことを特徴とする配線係止装置。
【請求項４】
請求項1乃至３のいずれかに記載の配線係止装置において、配線部材に複数のクビレ部が形成されるように押圧を加えて前記配線係止装置に該配線部材を係止することを特徴とする配線係止装置。
【発明の詳細な説明】
【技術分野】
【０００１】
本発明は、液晶テレビなどの電子機器を構成する樹脂成型加工キャビネットや機器内部の構造物と一体に形成された配線係止装置に関し、詳しくは該配線係止装置の成型加工時に該配線係止装置の端部に発生する鋭利なバリによる配線材料の絶縁被覆への損傷を防止する該配線係止装置の構造に関する。
【背景技術】
【０００２】
液晶テレビなどの民生用電子機器分野商品では製造コスト低減が大きな課題となることが多く、このため電気回路を構成する多様な機能処理回路を各機能別の印刷配線基板により形成し該印刷配線基板間を多数のコネクタと配線部材で接続することなく、大型の印刷配線基板に機能の異なる多様な処理機能回路を包含させ構成することにより効果的な部品点数削減と組み立て作業コスト低減を実現する手段が広く適用されている。
【０００３】
しかしながら異なる多くの処理機能回路を搭載する大型の印刷配線基板と該印刷配線基板外の電気部品との接続用コネクタと配線部材を皆無にすることは出来ない。例えば優れた立体音響効果を実現するためのスピーカの配設位置や操作性を重視するためにユーザが操作する操作スイッチやボタンの配設位置は自ずと限定され、これらの部品を大型で一体化された印刷配線基板上に搭載し集約することができず、依然としてコネクタと配線部材による配線手段に依存する必要があり、従って該配線部材の安全で確実な係止手段が必要となる。
【０００４】
電子機器の樹脂成型加工キャビネットや機器内部の構造物と一体に形成された配線係止装置の従来例としては図７に示すごとく液晶テレビのスピーカ７のスピーカ端子板７ａと音声出力基板（図示せず）間を接続するため、配線通過経路である前キャビネット２２の下辺に沿って配設された配線挟持用ピン２３を示している。さらに図８は該配線挟持用ピン２３の拡大斜視図であり、直線状に並べ配設された３本の該配線挟持用ピン２３により形成される二組の間隙に線材が挿嵌され係止される。
【０００５】
図９は前記図８中の切断線Ｂ−Ｂに沿って切断された配線挟持用ピン２３の縦断面および成型金型の断面である。正常時は加熱され流動性を有する成型樹脂材料２８が図９（ａ）中に矢印にて示すごとく射出圧力により圧送され、金型２９の凹部に流入し所望の配線挟持用ピン２３が形成される。しかしながら図９（ｂ）に示すごとく成型金型２９の配線挟持用ピン底部２９ａに密閉された空気が残存する場合には樹脂が流れ込まない空洞が形成され、配線挟持用ピン２３の先端部分が欠ける「ショートショット不良」を発生する。該ショートショット不良の発生を回避するために成型樹脂材料２８の射出圧力を増大させると断熱圧縮された配線挟持用ピン２３の先端部樹脂が黒く焼ける「樹脂焼け不良」の発生原因となる。
【０００６】
上記問題への対応手段として、特許文献1に見られるごとく電機機器の電気配線を所定の位置に固定するための固定具として、基台上にアームを対向して設け、該アーム先端には傾斜面を形成したツメを有すると共に、両ツメ間に線材が収容される空間が設けられる構造の電気配線用固定具の発明がなされている。しかしながら、該線材が収容される空間に該線材を収容するために、対向する両ツメ間の狭隘な間隙に線材を挿通する必要があり、該電気配線用固定具が熱可塑性樹脂材料の成型加工により形成される場合には、ツメの端部に発生した所望しない鋭利な「バリ不良」の発生により線材を構成する導電体の外面を覆う電気絶縁被覆を損傷し、部分的な絶縁耐圧特性の劣化、線間放電や線間短絡による火災などの重大な事故を惹起する原因となる懸念がある。
【特許文献１】実用新案第３０９０３２５号公報
【発明の開示】
【発明が解決しようとする課題】
【０００７】
該配線係止装置に該線材を保持する作業は簡便である必要があるが、樹脂材料により形成される配線係止装置の成型金型の構造面の事情により、線材を保持する面に線材の絶縁被覆を損傷する懸念のある「バリ不良」を発生する場合があり、本発明は安全確実に線材を保持する配線係止装置を提供する。
【課題を解決するための手段】
【０００８】
樹脂材料の成型加工により形成された電子機器用キャビネットや内部の構造物と共に一体成型された配線係止装置において、該配線係止装置を構成する線材挟持用ピンの横断面形状を該線材挟持用ピンの軸に沿って線対称の凹面に形成する。
【０００９】
横断面形状が線材挟持用ピンの軸に沿って線対称の凹面に形成された該線材挟持用ピンの成型金型を該線対象線に沿って分割する割り子構造とする。
【００１０】
線材挟持用ピンの横断面形状が該線材挟持用ピンの軸に沿って線対称の凹面に形成された複数の該線材挟持用ピンを該凹面部が対向するよう配設する。
【００１１】
本発明の配線係止装置において、配線部材に複数のクビレ部が形成されるように押圧を加えて前記配線係止装置に該配線部材を係止することを特徴とする。
【発明の効果】
【００１２】
配線係止装置を構成する線材挟持用ピンの横断面形状が線対称の凹面に形成すると共に、該線対称線に沿って成型金型を割り子構造とすることにより、該割り子型の金型の突合せ面からのガス抜き効果が発揮され、加工時のショートショット不良の発生が回避できる他に、金型突合せ部分に発生する鋭利なバリは凹面の底部に位置するため、配線係止装置に係止される配線部材に該バリが当接せず配線部材の絶縁被覆を損傷することがない。
【００１３】
横断面が凹面に形成された複数の線材挟持用ピンの凹面部が対向しているため、該凹面部両端の複数の挟持部分により配線部材を挟持することが可能となり、本発明による配線係止装置により該配線部材をより確実に保持することが可能となる。また、配線部材は配線挟持用ピンの凹部によりクビレ部が２箇所となり、配線部材の長さ方向への移動がより制限されるため、より安定で確実な配線部材係止機能を果たすことが可能となる。
【発明を実施するための最良の形態】
【００１４】
以下、図に基づき本発明の実施形態を液晶テレビに適用した場合に関し説明する。図１（ａ）は液晶テレビの外観正面図、図１（ｂ）は側面図である。図１において１は画像表示のための液晶表示パネル、２は前キャビネット、３は後ろキャビネット、４は液晶テレビを卓上型として使用する場合のスタンド、５はキャリングハンドル、６はスピーカパネル部である。
【００１５】
次に、図２の液晶テレビ内部の分解斜視図に基づき光学系ユニットの構成を説明する。液晶表示パネル1の背面側には、液晶表示画面の高輝度化や面輝度均一化などの画像品位改善のため、光反射、偏光、屈折、光拡散など高度の光制御技術を利用し表面に多数のマイクロレンズアレイを形成するなどの手段を施した複数枚のフィルム状の光学シートセット１１が配設されている。さらに該光学シートセット１１の後方には該光学シートセット１１および該液晶表示パネル１の背面から光照射するためのバックライトユニット１５が配設されている。該バックライトユニット１５は光拡散板１２と共にバックライトシャーシ１４内部に多数の発光管１３が配設され構成されている。
【００１６】
バックライトシャーシ１４の背面には、多様な機能処理を果たすための電気回路を構成する印刷配線基板ユニット（図示せず）が取り付けられている。該印刷配線基板ユニットに搭載されたコネクタから配線部材を通じ前キャビネット２に取り付けられたスピーカ７や操作ボタンに接続される。
【００１７】
図３は本発明の実施形態を示す液晶テレビを構成する前キャビネット２の背面斜視図である。バックライトシャーシ１４の背面に取り付けられた印刷配線基板ユニット（図示せず）から前キャビネット２の左右に取り付けられた立体音響再生用の複数のスピーカ７のスピーカ端子板７ａに配線部材を通じ接続される。配線部材が前キャビネット２と後ろキャビネット３との接合部分からはみ出し、または螺着部分に噛み込まれるなどの予期しない状態の発生により、線材を構成する導電体を覆う電気絶縁被覆を損傷し、部分的な絶縁耐圧特性の劣化、線間放電や線間短絡による火災発生などの重大な事故を惹起することを防止するため配線部材の通過位置の要所に配線挟持用ピン８が配設され、配線部材を係止している。
【００１８】
図４は本発明による配線挟持用ピン８の詳細斜視図である。成型樹脂材料の成型加工により形成された電子機器用キャビネットや内部の構造物と共に一体に形成された配線挟持用ピン８は、横断面形状が該線材挟持用ピン８の軸に沿って線対称の凹面に形成されると共に複数の該線材挟持用ピン８の凹面部が対向するよう配設されている。
【００１９】
図５は図４中に鎖線Ａ−Ａで示す切断線に沿って切断した配線挟持用ピン８部分の射出成型金型１９の横断面図である。第１の金型部１９ａおよび第２の金型部１９ｂの合わせ面である金型分割線１９ｃに沿って成型樹脂材料１８がはみ出し、図４中に点線で示すごとくバリ８ｂを発生することがあるが、配線挟持用ピン８の凹面では該凹面の底部に発生する。該凹面の底部は挟持する配線部材に当接しない位置であり、従って配線挟持用ピン８の凹面の底部に発生するバリにより配線部材の絶縁被覆を損傷することはない。
【００２０】
図６は配線挟持用ピン８に挟持された状態の配線部材９を表し、（ａ）は配線部材９が配線挟持用ピン８に挟持された状態の正面図であり、（ｂ）は配線挟持用ピン８に挟持された状態の配線部材９の正面図である。配線部材９は配線挟持用ピン８に対して押圧を加えられて挟持される。配線部材９は配線挟持用ピン８の凹部８ａによりクビレ部９ａが２箇所となり、配線部材の長さ方向への移動がより制限されるため、より安定で確実な配線部材係止機能を果たすことが可能となる。図６においては１本の配線部材で説明しているが、複数本の配線部材を挟持する場合にも同様の効果が得られることになる。
【図面の簡単な説明】
【００２１】
【図１】本発明の実施形態に係わる液晶テレビの外観図で図１（ａ）は正面図、図１（ｂ）は側面図である。
【図２】液晶テレビ内部の光学系の構成を説明する分解斜視図である。
【図３】本発明の実施形態を示す液晶テレビの前キャビネットの背面斜視図である。
【図４】本発明による配線挟持用ピンの詳細斜視図である。
【図５】図４中に鎖線Ａ−Ａで示す切断線に沿って切断した配線挟持用ピン部分の射出成型金型の横断面図である。
【図６】本発明による配線挟持用ピンと配線部材との挟持関係を表す正面図である。
【図７】前キャビネットに配設された配線係止装置の従来例を示す前キャビネットの背面斜視図である。
【図８】配線挟持用ピン２３の従来例の拡大斜視図である。
【図９】図８中の切断線Ｂ−Ｂによる断面および成型金型の断面を示し、図９(ａ)は正常時、図９（ｂ）はショーとショット不良発生時の状態である。
【符号の説明】
【００２２】
１：  液晶表示パネル 
２：  前キャビネット
３：  後ろキャビネット
４：  スタンド
５：  キャリングハンドル
７：  スピーカ
７ａ：  スピーカ端子板
８：  配線挟持用ピン
８ｂ：  バリ
９：  配線部材
９ａ：クビレ部
１１：  光学シートセット
１２：  光拡散板
１３：  発光管
１４：  バックライトシャーシ
１５：  バックライトユニット
１８：  成型樹脂材料
１９：  射出成型金型
１９ａ：  第１の金型部
１９ｂ：  第２の金型部
１９ｃ：  金型分割線
２２：  前キャビネット
２３：  配線挟持用ピン
２３ｂ：  バリ
２８：  成型樹脂材料
２９：  射出成型金型
２９ａ：  配線挟持用ピン底部
【図１】
2007115727.tif 000003
【図２】
2007115727.tif 000004
【図３】
2007115727.tif 000005
【図４】
2007115727.tif 000006
【図５】
2007115727.tif 000007
【図６】
2007115727.tif 000008
【図７】
2007115727.tif 000009
【図８】
2007115727.tif 000010
【図９】
2007115727.tif 000011